(57)【要約】【課題】  収納したアイテムの位置を追跡すること。【解決手段】  この方法は、モバイルコンピュータ装置のカメラを使用して第１の部屋の画像を撮影して、第１の部屋内に収納したアイテムの内容及び第１の部屋内に収納したアイテムの相対的な位置を表す第１の対応画像を形成するステップと；第１の対応画像に示される第１の選択したアイテムをタップするステップと；第１の選択したアイテムの詳細な画像を撮影するステップと；を含む。この方法は、第１の対応画像に示された第２の選択したアイテムをタップするステップと；第２の選択したアイテムの詳細な画像を撮影するステップと；をさらに含む。この方法は、第１の部屋の画像、第１の選択したアイテムの詳細な画像、及び第２の選択したアイテムの詳細な画像を、モバイルコンピュータ装置の記憶装置に保存するステップも含む。【選択図】  図６
2017107520.tif 000002
【特許請求の範囲】
【請求項１】
収納したアイテムの位置を追跡する方法であって、当該方法は：
モバイルコンピュータ装置のカメラを使用して第１の部屋の画像を撮影して、第１の部屋内に収納したアイテムの内容及び第１の部屋内に収納したアイテムの相対的な位置を表す第１の対応画像を形成するステップと；
第１の対応画像に示された第１の選択したアイテムをタップするステップと；
第１の選択したアイテムの詳細な画像を撮影するステップと；
第１の対応画像に示された第２の選択したアイテムをタップするステップと；
第２の選択したアイテムの詳細な画像を撮影するステップと；
第１の部屋の画像、第１の選択したアイテムの詳細な画像、及び第２の選択したアイテムの詳細な画像を、前記モバイルコンピュータ装置の記憶装置に保存するステップと；を含む、
方法。
【請求項２】
前記モバイルコンピュータ装置のカメラを使用して第１の部屋の画像を撮影して、第１の対応画像を形成するステップは、前記モバイルコンピュータ装置のカメラで第１の部屋の複数の画像を撮影し、該複数の画像を一緒にステッチして、パノラマ画像である第１の対応画像を形成するステップを含む、
請求項１に記載の方法。
【請求項３】
第１の部屋にラベルを付けるステップと；
第１の選択したアイテムにラベルを付けるステップと；
第２の選択したアイテムにラベルを付けるステップと；
第１の部屋のラベル、第１の選択したアイテムのラベル、及び第２の選択したアイテムのラベルを、前記モバイルコンピュータ装置の前記記憶装置に保存するステップと；をさらに含む、
請求項１に記載の方法。
【請求項４】
第１の選択したアイテムは、前記モバイルコンピュータ装置のユーザによって手動でラベル付けされる、
請求項３に記載の方法。
【請求項５】
第１の選択したアイテムは、クラウドを介してアクセスされた識別サービスを使用して自動的にラベル付けされる、
請求項３に記載の方法。
【請求項６】
見当たらないアイテムに対応するラベルの全部又は一部を前記モバイルコンピュータ装置に入力することにより、見当たらないアイテムを探し出すステップをさらに含み、
前記モバイルコンピュータ装置は、見当たらないアイテムの位置を示す、
請求項３に記載の方法。
【請求項７】
無線周波数識別（RFID）タグを第１の部屋内に収納したアイテムに付加するステップと；
見当たらないアイテムに対応するラベルの全部又は一部を前記モバイルコンピュータ装置に入力して、見当たらないアイテムを探し出すステップであって、前記見当たらないアイテムは、対応するＲＦＩＤタグを有する、探し出すステップと；
前記見当たらないアイテムを探し出すためにＲＦＩＤスキャナを使用するステップと；
前記見当たらないアイテムに対応するＲＦＩＤタグを見つけたときに、前記モバイルコンピュータ装置のユーザに警告するステップと；をさらに含む、
請求項３に記載の方法。
【請求項８】
第２の選択したアイテムは、他のアイテムを第２の選択したアイテム内に収納する収納ユニットである、
請求項１に記載の方法。
【請求項９】
第２の選択したアイテム内の収納スペースの詳細な画像を撮影するステップと；
前記収納スペース内に収納された個々のアイテムをタップするステップと；
前記収納スペース内に収納された個々のアイテムのそれぞれの詳細な画像を撮影するステップと；をさらに含む、
請求項８に記載の方法。
【請求項１０】
第２の選択したアイテム内の前記収納スペースにラベルを付けるステップと；
前記収納スペース内に収納された個々のアイテムにラベルを付けるステップと；をさらに含む、
請求項９に記載の方法。
【請求項１１】
第１選択したアイテム及び第２の選択したアイテムのそれぞれについて製品タイプを識別するために、第１の選択したアイテム及び第２の選択したアイテムには、それぞれ、識別（ID）コードが割り当てられる、
請求項１に記載の方法。
【請求項１２】
第１の選択したアイテム及び第２の選択したアイテムのそれぞれについて、位置、ユーザコード、製品タイプ、及びシリアル番号を識別するために、第１の選択したアイテム及び第２の選択したアイテムには、それぞれ、固有の識別（UID）コードが割り当てられる、
請求項１に記載の方法。
【請求項１３】
第１の部屋は、住宅内に位置しており、該住宅には、前記住宅に対応する固有のメディアアクセス制御（MAC）アドレス又は固定のインターネットプロトコル（IP）アドレスに基づいたコードが割り当てられる、
請求項１２に記載の方法。
【請求項１４】
前記モバイルコンピュータ装置のカメラを使用して第２の部屋の画像を撮影して、第２の部屋内に収納したアイテムの内容及び第２の部屋内に収納したアイテムの相対的な位置を表す第２の対応画像を形成するステップと；
第２対応の画像に示された第３の選択したアイテムをタップするステップと；
第３の選択したアイテムの詳細な画像を撮影するステップと；をさらに含む、
請求項１に記載の方法。
【請求項１５】
第３の選択したアイテムにラベル付けするステップをさらに含む、
請求項１４に記載の方法。
【発明の詳細な説明】
【技術分野】
【０００１】
本発明は、収納したアイテムを追跡するための整理する方法、より具体的には、収納したアイテムの詳細な記録を保持するための、モバイルコンピュータ装置のアプリケーションを使用して収納したアイテムを追跡する方法に関する。
【背景技術】
【０００２】
家庭用品が次第に増えるにつれて、これらのアイテムの収納がより重要になってくる。これらのアイテムをどこに収納し且つどのように収納するかが重要になる。非常に多くのアイテムがある場合に、必要なアイテムを探し出すために多大な時間を要する。従って、整理された状態でアイテムを収納することは、長期に亘って多くの必要な時間を節約することができる。
【発明の概要】
【発明が解決しようとする課題】
【０００３】
特許請求の範囲に記載された発明の主な目的の１つは、直感的な整理システムを含むアプリケーションを使用して、収納したアイテムの位置を追跡する方法を提供することである。
【課題を解決するための手段】
【０００４】
特許請求の範囲に記載された本発明の例示的な実施形態によれば、収納したアイテムの位置を追跡する方法が開示される。この方法は、モバイルコンピュータ装置のカメラを使用して第１の部屋の画像を撮影して、第１の部屋内に収納したアイテムの内容及び第１の部屋内に収納されたアイテムの相対的な位置を表す第１の対応画像を形成するステップと；第１の対応画像に示された第１の選択したアイテムをタップするステップと；第１の選択したアイテムの詳細な画像を撮影するステップと；を含む。この方法は、第１の対応画像に示された第２の選択したアイテムをタップするステップと；第２の選択したアイテムの詳細な画像を撮影するステップと；第１の部屋の画像、第１の選択したアイテムの詳細な画像、及び第２の選択したアイテムの詳細な画像を、モバイルコンピュータ装置の記憶装置に保存するステップと；を含む。
【０００５】
本発明は、アイテムを階層システムに直感的に整理するための方法を提供するという利点を有する。アイテム及びこれらアイテムの位置が記録されるだけでなく、収納されたアイテムの相対的な位置をグラフィカルに示すために画像も使用される。この方法は、新しいアイテムを追加するときに又は以前に収納したアイテムを探し出すときに、ユーザフレンドリーな操作方法を提供する。
本発明のこれらの目的及び他の目的は、様々な図及び図面に示されるような好ましい実施形態についての以下の詳細な説明を理解した後に、当業者には明らかになるだろう。
【図面の簡単な説明】
【０００６】
【図１】アイテムの位置及び説明を階層的な方法で記録するためのアプリケーション（アプリ）を実行するために使用されるモバイルコンピュータ装置の機能ブロック図である。
【図２】スマート発見アプリを使用してアイテムを整理するための階層的なアプローチを示すようなサンプルのフォルダ構造を示す図である。
【図３】モバイルコンピュータ装置を使用して、部屋の画像を撮影することを示す図である。
【図４】スマート発見アプリを使用して、ドレッサーの詳細な画像を撮影することを示す図である。
【図５】スマート発見アプリを使用して、引き出しの詳細な画像を撮影することを示す図である。
【図６】本発明に係るスマート発見アプリケーションを使用して、アイテムを階層的な方法で整理する方法を説明するフローチャートである。
【図７Ａ】ネットワークを介したモバイルコンピュータ装置とクラウド・データベースとの間の相互作用及び識別サービスを示す機能ブロック図である。
【図７Ｂ】アイテムの複数の画像を撮影することにより、クラウド・データベースに新しいエントリを追加することを示す図である。
【図８】アイテムに対応するファイルをクラウド・データベースに追加した後にアイテムが認識されたことを示す図である。
【図９】ＩＤコードのフィールドを含むテーブルを示す図である。
【図１０】ＵＩＤ番号のフィールドを含むテーブルを示す図である。
【図１１】ＩＰアドレス又はＭＡＣアドレスのいずれかを使用して、個々の住宅を特定する方法を示す図である。
【図１２】ＲＦＩＤスキャナを使用して、カメラを探し出すことを示す図である。
【発明を実施するための形態】
【０００７】
図１を参照されたい。図１は、アイテムの位置及び説明を階層的な方法で記録するためのアプリケーション（アプリ）２２を実行するために使用されるようなモバイルコンピュータ装置１０の機能ブロック図である。このアプリによって、ユーザが、以前にこのアプリを使用して保存及び記録したアイテムを探し出すことが可能になる。このアプリに適格な名前を提供するために、このアプリは、以下、スマート発見アプリとして参照される。
【０００８】
モバイルコンピュータ装置１０は、好ましくはタッチスクリーンであるディスプレイ１２、カメラ１４、プロセッサ１６、ワイヤレスフィデリティ（Wi-Fi）トランシーバ等の無線トランシーバ１８、及び記憶装置２０を含む。記憶装置２０は、スマート発見アプリ２２だけでなく、スマート発見アプリ２２と共に使用されるアプリデータ２４を格納する。記憶装置２０は、好ましくは、フラッシュメモリ等の不揮発性メモリである。モバイルコンピュータ装置１０は、タブレットコンピュータ又はスマートフォン等の、ディスプレイ及びカメラの両方を有する任意のモバイル装置であってもよいが、ノートパソコン等の他の装置も同様に使用することができる。
【０００９】
図２を参照されたい。図２は、スマート発見アプリ２２を使用してアイテムを整理するための階層的なアプローチを示すようなサンプルのフォルダ構造である。家（ホーム）、建物、又は建物のグループであっても、階層的な構造を使用して整理することができる。例えば、図２に示されるように、スミスさんの家庭に属する家（ホーム）が、上位レベルで示されており、「スミスさんのホーム」に対応するフォルダ１００によって示されている。フォルダ１００は、３つのフォルダ：「リビングルーム」に対応するフォルダ１０２、「マスターベッドルーム」に対応するフォルダ１０４、「ゲスト用ベッドルーム」に対応するフォルダ１０６を含むものとして示されている。当然のことながら、３つのフォルダより多い又は少ないフォルダが、フォルダ１００内に存在してもよいが、３つのフォルダは、単純化のために示されている。
【００１０】
一例としてフォルダ１０６を取り上げると、フォルダ１０６は、２つのフォルダ：「クローゼット」に対応するフォルダ１１０と、「デスク」に対応するフォルダ１２０とを含むものとして示されている。つまり、「ゲスト用ベッドルーム」には、「クローゼット」と「デスク」との両方が含まれる。次に、フォルダ１２０には、「ランプ」に対応するファイル１２２が含まれる。つまり、「デスク」には、「ランプ」が含まれる。追加のフォルダレベルによって、「クローゼット」又は「デスク」の個々の引き出しを示すことができ、アイテムを分類するようなネスト化されたレベルの数には制限がない。
【００１１】
スマート発見アプリ２２は、典型的な現代のコンピュータ・オペレーティング・システムにおいてファイル管理システムのように動作する。住宅、建物、部屋等であっても、ファイル構造を用いて表すことができる。例えば、住宅内の各部屋について、各部屋は、住宅についてのファイル構造内のフォルダによって表すことができる。収納キャビネット又は本棚は、部屋に対応するフォルダ内のサブフォルダによって表すことができる。各家庭用品は、フォルダ内のファイルに相当する。上述したように、「ランプ」に対応するファイル１２２は、「デスク」に対応するフォルダ１２０内に含まれる。ファイルは、家庭用品の少なくとも１つの画像を撮影し、その後、必要に応じて各アイテムにラベル付けすることによって作成される。オプションのラベル付けを手動で行うことができ、又は「クラウド」を介してアクセスされた識別サービスを使用して、自動的に各アイテムを識別し、各アイテムにラベル付けすることができる。一旦アイテムが適切にラベル付けされると、ユーザが後でアイテムを見つける必要がある場合に、ユーザは、スマート発見アプリ２２を使用してアイテムを探し出すことができる。
【００１２】
スマート発見アプリ２２の使用方法について以下に示す。図３を参照されたい。図３は、モバイルコンピュータ装置１０を使用して、部屋５０の画像を撮影することを示す。部屋５０に対応するフォルダを作成するために、モバイルコンピュータ装置１０のカメラ１４によって、部屋５０の画像を撮影する。部屋５０についてのフォルダ構造は、図２に示したサンプルのフォルダ構造と同様にすることができる。部屋５０の単一の画像又はパノラマ画像として一緒にステッチされた一連の画像が、撮影される。部屋５０のこの画像記録は、次に、部屋５０内の家庭用品の配置の記録とするために、分析され且つ保存される。図３に示されるように、部屋５０には、複数の引き出しを含むドレッサー５２が含まれる。ドレッサー５２の上部引き出し５４について後述する。
【００１３】
図４を参照されたい。図４は、スマート発見アプリ２２を使用して、ドレッサー５２の詳細な画像を撮影することを示す。撮影した部屋５０の画像において、ユーザは、モバイルコンピュータ装置１０を使用して、図４の左上に示されるような部屋５０のズームイン画像５１を生成するためにズームインする。部屋５０のズームイン画像５１を用いて、ユーザは、ドレッサー５２をより良く確認することができる。スマート発見アプリ２２で分類するべくドレッサー５２をアイテムとして追加するには、ユーザは、モバイルコンピュータ装置１０のディスプレイ１２を用いてドレッサー５２を単にタップすればよい。その後、ドレッサー５２が選択されたことを示すために、必要に応じて、サークル（円）５３を表示させることができる。次に、ユーザは、ドレッサー５２のより詳細なビューを提供するために、ドレッサー５２の詳細な画像５５を撮影する。次に、ドレッサー５２は、必要に応じて、手動で又はクラウドを介してアクセスされた識別サービスを使用してラベル付けすることができる。図２に示したサンプルのフォルダ構造に示される概念を使用して、部屋５０は、フォルダに対応し、このフォルダには、ドレッサー５２に対応するサブフォルダが含まれる。ドレッサー５２は、ドレッサー５２の引き出し５４及び他の引き出し等の他のサブフォルダを含むフォルダに対応するだろう。引き出し５４（同様に他の各引き出し）は、引出し５４内に他のアイテムを含むフォルダとして考えることもできる。一般に、収納ユニットは、フォルダとして考えることができ、収納ユニットではない他のアイテムは、フォルダ内のファイルとして考えることができる。多数のフォルダレベルが存在しても、ネスト化レベルに制限はない。ユーザがカタログ作成を望む全てのアイテムがカタログ化されるまで、アイテムをタップし、アイテムの詳細な画像を撮影し、及び必要に応じてアイテムにラベル付けするプロセスを繰り返すことができる。
【００１４】
図４と一緒に図５を参照されたい。図４において、引き出し５４をタップして、この引き出し５４を選択することができる。その後、引き出し５４の詳細な画像を撮影することができる。図５は、スマート発見アプリ２２を使用して、引き出し５４の詳細な画像５７を撮影することを示す。引き出し５４には、デジタルカメラ６０、ペン６２、腕時計６４、ポケットナイフ６６、及び眼鏡６８が含まれる。これらのアイテムのそれぞれは、順番に、アイテムを選択するためにタップされ、続いて各アイテムの詳細な画像を撮影し、及び必要に応じてアイテムにラベル付けすることができる。再び、図２に示したサンプルのフォルダ構造に示される概念を使用して、引き出し５４は、ドレッサー５２に対応するフォルダ内のフォルダとなる。引き出し５４の内側は、デジタルカメラ６０、ペン６２、腕時計６４、ポケットナイフ６６、及び眼鏡６８に対応する（複数の）ファイルとなる。各アイテムは、必要に応じて、手動で又はクラウドを介してアクセスされた識別サービスを使用してラベル付けされるであろう。
【００１５】
なお、一旦ドレッサー５２等の収納ユニット及びその全ての内容物が完全にカタログ作成されると、家具を住宅内で再配置する場合には、住宅内である部屋から別の部屋に収納ユニットを移動することは、容易に行われる。この状況では、ユーザは、以前収納ユニットがあった部屋の画像を単に撮影し、その後、今その収納ユニットが配置された部屋の画像を撮影する。移動した収納ユニットは、クラウドを介してアクセスされた識別サービスによって自動的に識別され、収納ユニット内に以前に配置されていた全てのアイテムは、ユーザが特に指定しない限り、収納ユニットをある部屋から別の部屋に移動したときに、依然として保存されることになる。
【００１６】
図６を参照されたい。図６は、本発明に係るスマート発見アプリ２２を使用して、アイテムを階層的な方法で整理する方法を説明するフローチャートである。この方法の一般的なステップが説明されており、この方法は、ネスト化された階層レベルに拡張可能である。新しいアイテムは、フローチャートのステップを繰り返して行われる方法で実行することによって追加することができる。フローチャートの各ステップについて、以下で説明する。
【００１７】
ステップ１５０：開始する。
ステップ１５２：主なアイテムの画像を撮影し、必要に応じて主なアイテムにラベルを付ける。例えば、この場合の主なアイテムは、図３に示される部屋５０であってもよい。
ステップ１５４：主なアイテムの画像内の下位レベルのアイテムをタップする。例えば、ユーザは、図４のドレッサー５２をタップする。
ステップ１５６：下位レベルのアイテムの詳細な画像を撮影し、必要に応じて下位レベルのアイテムにラベル付けする。例えば、ユーザは、図４のドレッサー５２の詳細な画像を撮影し、その後必要に応じて、手動で又はクラウドを介してアクセスされた識別サービスを使用してドレッサー５２にラベルを付ける。
ステップ１５８：主なアイテムの画像内の他の下位レベルのアイテムをタップする。例えば、ユーザは、図３に示される部屋５０内の他のアイテムについてもカタログ作成できる。
【００１８】
ステップ１６０：他の下位レベルのアイテムの詳細な画像を撮影し、必要に応じてこの他の下位レベルのアイテムにラベルを付ける。
ステップ１６２：他の下位レベルのアイテム内に追加の整理（組織化）レベルがあるか否かを確認する。もし追加の整理（組織化）レベルがあるならば、ステップ１６４に進む。もし追加の整理（組織化）レベルがないならば、ステップ１６８に進む。例えば、他の下位レベルのアイテムがキャビネットであり、このキャビネット内に他のアイテムが含まれる場合に、その後、ステップ１６４に続く。
ステップ１６４：他の下位レベルのアイテムの画像内のさらに下位レベルのアイテムをタップする。例えば、このステップは、キャビネット内に含まれるアイテムを選択する場合に、継続されることになる。
【００１９】
ステップ１６６：さらに下位レベルのアイテムの詳細な画像を撮影し、必要に応じてさらに下位レベルのアイテムにラベルを付ける。例えば、このステップは、キャビネット内に含まれるアイテムをカタログ作成する場合に、継続することになる。ステップ１６２に戻る。
ステップ１６８：主なアイテムの画像内により下位レベルのアイテムがあるか否かを確認する。例えば、図３に示される部屋５０内に他のアイテムがあるか否かを確認する。他のアイテムがある場合に、ステップ１５８に戻り、追加のアイテムを選択する。他のアイテムがない場合に、ステップ１７０に進む。
ステップ１７０：終了する。
【００２０】
手動でアイテムにラベル付けする場合に、スマート発見アプリ２２のユーザは、アイテムの種類、メーカー、モデル番号等の情報を手動で入力することができる。クラウドを介してアクセスされた識別サービスを使用する場合に、識別サービスは、クラウド・データベースを使用して、ユーザによって撮影されたアイテムの画像を既にクラウド・データベースに保存された画像と比較する。次に、ユーザが撮影した画像と一致するクラウド・データベース内のエントリを、見つけることができる。また、ユーザが入力したデータを使用して、クラウド・データベースの内容をさらに拡張することができる。つまり、そのアイテムの詳細な画像を提供するために、ユーザが撮影した追加の画像が、一致するアイテムとさらに関連付けることができる。ユーザが新しいアイテムをクラウド・データベースに追加する場合に、次に、ユーザが入力したデータによって、クラウド・データベースに新しいエントリが追加される。一般的には、アイテムに関連付けられたクラウド・データベース内に存在する画像が多くなればなる程、ユーザが撮影した対象物の新しい画像と、既にクラウド・データベースに含まれる画像とを一致させることは容易になる。クラウド・データベース内に保存されたコンテンツがより充実するので、クラウド・データベースは、ユーザが撮影した画像のアイテムを正確に識別することができるであろう。
【００２１】
図７Ａを参照されたい。図７Ａは、ネットワーク９０を介したモバイルコンピュータ装置１０とクラウド・データベース９２との間の相互作用及び識別サービス９４を示す機能ブロック図である。モバイルコンピュータ装置１０は、好ましくは、無線でネットワーク９０に接続され、無線トランシーバ１８を使用してこの無線接続を確立することができる。クラウド・データベース９２を使用して、ユーザが収納したアイテムを識別するのに役立つように使用される情報を格納する。識別サービス９４は、ユーザが撮影した画像に含まれるアイテムを識別するのに役立つように、クラウド・データベース９２と共に動作する。
【００２２】
図７Ｂを参照されたい。図７Ｂは、アイテム２００の複数の画像２０２、２０４、２０６、２０８、２１０、２１２を撮影することにより、クラウド・データベース９２に新しいエントリを追加することを示す。この例では、アイテム２００は、プロジェクタである。ユーザのアイテム２００がクラウド・データベース９２内に見つからない場合は、スマート発見アプリ２２は、アイテム２００用のファイルを作成する機会をユーザに提供することができる。ユーザは、アイテム２００の６つの異なる側面等の各側面から画像を撮影して、複数の画像２０２、２０４、２０６、２０８、２１０、２１２を作成することができる。その後、スマート発見アプリ２２は、そのアイテム２００について単純な３次元モデルを作成するために、アイテム２００のこれらの複数の画像２０２、２０４、２０６、２０８、２１０、２１２を一緒に組み合わせることができる。アイテム２００について撮影した複数の画像を撮影することは、クラウド・データベース９２及び識別サービス９４を使用して実行される、画像認識での将来の試みに役立てることができる。次に、ユーザは、アイテム２００についての識別情報及びカテゴリ情報を提供することができ、アイテム２００は、その後、クラウド・データベース９２に追加される。作成されたアイテム２００に対応するファイルは、アイテム２００を識別するためにユーザが使用することができる。このファイルは、クラウド・データベース９２を介して他のユーザと共有することもできる。クラウド・データベース９２を使用するこの共有システムによって、他のユーザが寄与したファイルも、識別プロセスの精度を高めるために使用することができる。図８を参照されたい。図８は、アイテム２００に対応するファイルがクラウド・データベース９２に追加された後にアイテム２００を認識することを示す。この例では、モバイルコンピュータ装置１０のカメラ１４によって、アイテム２００の画像を撮影し、スマート発見アプリ２２がこの画像をクラウド・データベース９２に送信した後で、クラウド・データベース９２は、アイテム２００がプロジェクタであるという結果を返す。
【００２３】
各アイテムについてファイルを作成する場合に、アイテムには、提供された情報に従って識別（ID）コードが割り当てられる。ＩＤコード内の各フィールドは、ユーザがこのアイテムを将来探し出したい場合に、独立して探し出すことができる。図９を参照されたい。図９は、ＩＤコードのフィールドを含むテーブルを示す。このテーブルには、アイテムのカテゴリタイプを「Ａ０００１」として識別する「アイテム種別コード」、「ＡＢＣＤＥＦＧ」であるアイテムのブランドに対応する「銘柄コード」、及びアイテム「ＨＩＪＫＬＭＮＯ」のモデルを示す製品ＩＤに対応する「製品ＩＤコード」が含まれる。このＩＤコードは、所定のモデルアイテムについて同じである。例えば、ユーザがベッドの両側に、一致するエンドテーブルを有する場合に、両方のエンドテーブルは、同じＩＤコードを有するであろう。
【００２４】
ＩＤコードが割り当てられていることに加えて、スマート発見アプリ２２の各アイテムには、独自の固有の識別（UID）番号が割り当てられる。図１０を参照された。図１０は、ＵＩＤ番号のフィールドを含むテーブルを示す。各ＵＩＤ番号には、アイテムの位置及び種類に応じた一連のコードが含まれる。例えば、図９に示したＩＤコードを有するアイテムには、以下のコードを割り当てることができる。ＵＩＤ番号には、次の情報：アイテムが位置する国に対応する「国コード（８８６である）」、アイテムをカタログ作成するユーザに対応する「ユーザコード（ＡＢＣＤＥＦＧＨＩＪである）」、アイテムが配置された部屋に対応する「部屋コード（００１である）」、アイテムが配置された収納ユニットに対応する「コンテナコード（００Ａである）」、アイテムのカテゴリタイプを識別する「アイテム種別コード（Ａ０００１である）」、アイテムのブランドに対応する「銘柄コード（ＡＢＣＤＥＦＧである）」、アイテムのモデルを示す製品ＩＤに対応する「製品ＩＤコード（ＨＩＪＫＬＭＮＯである）」、固有のシリアル番号を使用してアイテムを識別する「アイテムシリアル番号（０００１である）」、ＵＩＤでの残りのコードについてチェックサムとして使用される「チェックコード（９である）」が含まれる。スマート発見アプリ２２では、各固有のアイテムには、ＵＩＤ番号が与えられる。アイテムのシリアル番号が各エンドテーブルについて異なることになるので、２つの同一のエンドテーブルであっても、異なるＵＩＤ番号を有することになる。見当たらないアイテムを探し出す場合に、ＵＩＤ番号内の任意のフィールドを検索することができ、それにより探しているアイテムを見つけるのが非常に容易になる。
【００２５】
上述したように、各アイテムを配置し、各アイテムにＵＩＤ番号を割り当てることができる。図９に示されるように、（例えば、住宅等の）領域内の各アイテムには、ＩＤコードを割り当てることができ、且つアイテムの位置及び固有のシリアル番号を、図１０に示したＵＩＤ番号を生成するために追加することができる。各領域について、異なる領域内の全てのアイテムを関連付けし且つ接続するために追加の識別子を使用することができる。
【００２６】
複数の領域を互いに関連付けるために、既存の技術を使用することができる。例えば、住宅にインターネット接続がある場合に、この住宅には、この住宅を正確に特定するために、固定のインターネットプロトコル（IP）アドレス又は固有のメディアアクセス制御（MAC）アドレスを割り当てることができる。これらの技術を用いて、異なる領域を、互いに明確に区別することができる。図１１を参照されたい。図１１は、ＩＰアドレス又はＭＡＣアドレスのいずれかを使用して、個々の住宅を特定する方法を示す。世界３００中に、多数の住宅３０２、３０４が存在しており、例として住宅３０４を用いる。住宅３０４には、部屋３１０及び３２０が含まれる。部屋３２０には、アイテム３３０及び３４０が含まれる。アイテム３４０は、収納ユニットであり、この収納ユニットは、アイテム３４２及び３４４をさらに含む。ある領域内の各アイテムは、独自のＵＩＤ番号を有することになり、各アイテムのＵＩＤ番号は、アイテムの対応する領域に割り当てられた位置コードの拡張として見ることができる。より大きな領域の位置コードを、より小さな領域の位置コードに追加することができ、その後、より大きな領域内の全ての領域を正確に特定することができる。従って、図１１に示されるアイテム３４４は、アイテム３０４のＵＩＤ番号と共に、住宅３０４のＩＰアドレス又はＭＡＣアドレスのいずれかを使用して特定することができる。
【００２７】
スマート発見アプリ２２を使用してアイテムをカタログ作成する利点の１つは、ユーザが後でアイテムの位置を見つけるのを助けることである。ユーザが固定した位置の又は頻繁に移動されないような見当たらないアイテムを探している場合であって、ユーザが見当たらないアイテムがある場所を単に忘れてしまった場合に、ユーザは、図９に示したＩＤコードのフィールドを使用して又は図１０に示したＵＩＤ番号のフィールドを使用して、その見当たらないアイテムを探し出すことができる。次に、スマート発見アプリ２２は、見当たらないアイテムがカタログ作成されたときの位置に応じて、その見当たらないアイテムがどこにあるかをユーザに通知することができる。これは、固定された又は比較的固定された位置のアイテムについて十分に機能する。しかしながら、カメラや携帯電話等の頻繁に移動されるいくつかのアイテムについては、それらのアイテムの保管位置を頻繁に更新する必要があるため、このような方法で見つけるのには適していない。従って、これらの種類のアイテムを追跡するために、無線周波数識別（RFID）タグを使用することができる。頻繁に移動されるこれらのアイテムについて、固有のＲＦＩＤタグを、これらのアイテムのそれぞれに付加することができる。ＲＦＩＤタグが取り付けられたアイテムをユーザが見つけることができない場合に、このユーザは、ＲＦＩＤスキャナを使用して、ある領域内で見当たらないアイテムを探し出すことができる。
【００２８】
図１２を参照されたい。図１２は、ＲＦＩＤスキャナ３５２を使用して、カメラ３５４を探し出すことを示す。この例では、ユーザは、カメラ３５４がこの部屋にあるかもしれないという考えを有し得るが、ユーザは、カメラ３５４がその部屋のどの場所にあるかを正確に分からない。カメラ３５４がドレッサー３５０の引き出し内にある場合に、ユーザは、ドレッサー３５０の全ての引き出しを調べることなしには、カメラ３５４を見つけることができない。従って、ユーザは、ＲＦＩＤスキャナ３５２を使用して、領域をより迅速にスキャンすることができる。これを行うために、ユーザは、どのアイテムを探し出そうとしているかをスマート発見アプリ２２に最初に入力するだろう。ユーザは、図９に示されるようなＩＤコードのフィールド又は図１０に示されるＵＩＤ番号のフィールドのデータを入力することによって、これを行うことができる。次に、スマート発見アプリ２２は、どのアイテムについてユーザが探しているかだけでなく対応する無線タグ情報も知ることができる。次に、見当たらないアイテムを探し出すためにＲＦＩＤスキャナ３５２が使用されたときに、スマート発見アプリ２２は、見当たらないアイテムに対応するＲＦＩＤタグを検出したときに、ＲＦＩＤスキャナ３５２が、見当たらないアイテムの近い範囲内に入ったときに、ユーザに警告する。好ましくは、ＲＦＩＤスキャナ３５２は、手持ち式ＲＦＩＤスキャナである。非限定的な例として、図１２に示したＲＦＩＤスキャナ３５２は、ラケット形状のＲＦＩＤスキャナとして示される。ＲＦＩＤスキャナ３５２は、現在のクラウド・データベース９２の一部ではないアイテムをスキャンするためにも使用することができることに留意されたい。クラウド・データベース９２内にカタログ作成されていないアイテムを、ＲＦＩＤスキャナ３５２を用いてスキャンした場合に、ユーザには、スマート発見アプリ２２を使用して、このアイテムを追加する機会が与えられる。
【００２９】
要約すると、本発明のスマート発見アプリ２２は、（複数の）アイテムを階層システムに直感的に整理するための方法を提供する。アイテム及びこれらのアイテムの位置が記録されるだけでなく、画像が、収納されたアイテムの相対的な位置をグラフィカルに示すためにも使用される。新しいアイテムを追加するときに又は以前に収納したアイテムを探し出すときに、本発明は、ユーザフレンドリーな操作方法を提供する。ユーザは、見当たらないアイテムについて記憶にある最後の位置を調べることにより、又はＲＦＩＤタグが取り付けられた見当たらないアイテムを探し出すためにＲＦＩＤスキャナを使用することにより、その見当たらないアイテムを探し出すことができる。
【００３０】
当業者は、本発明の教示を維持しながら、装置及び方法の多数の修正及び変更がなされ得ることを難なく気付くだろう。従って、上記開示は、添付の特許請求の範囲の境界によってのみ限定されるものとして解釈すべきである。
【図１】
2017107520.tif 000003
【図２】
2017107520.tif 000004
【図３】
2017107520.tif 000005
【図４】
2017107520.tif 000006
【図５】
2017107520.tif 000007
【図６】
2017107520.tif 000008
【図７Ａ】
2017107520.tif 000009
【図７Ｂ】
2017107520.tif 000010
【図８】
2017107520.tif 000011
【図９】
2017107520.tif 000012
【図１０】
2017107520.tif 000013
【図１１】
2017107520.tif 000014
【図１２】
2017107520.tif 000015
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
収納したアイテムの位置を追跡する方法であって、当該方法は：
モバイルコンピュータ装置のカメラを使用して第１の部屋の画像を撮影して、第１の部屋内に収納したアイテムの内容及び第１の部屋内に収納したアイテムの相対的な位置を表す第１の対応画像を形成するステップと；
第１の対応画像に示された第１の選択したアイテムをタップするステップと；
第１の選択したアイテムの詳細な画像を撮影するステップと；
第１の対応画像に示された第２の選択したアイテムをタップするステップと；
第２の選択したアイテムの詳細な画像を撮影するステップと；
第１の部屋の画像、第１の選択したアイテムの詳細な画像、及び第２の選択したアイテムの詳細な画像を、前記モバイルコンピュータ装置の記憶装置に保存するステップであって、各画像は階層化されたフォルダに保存され、第１の部屋の画像が第１の部屋に対応する第１のフォルダに保存され、第１及び第２の選択したアイテムの詳細な画像が第１のフォルダの直下の第１のサブフォルダに保存される、保存するステップと；を含む、
方法。
【請求項２】
前記モバイルコンピュータ装置のカメラを使用して第１の部屋の画像を撮影して、第１の対応画像を形成するステップは、前記モバイルコンピュータ装置のカメラで第１の部屋の複数の画像を撮影し、該複数の画像を一緒にステッチして、パノラマ画像である第１の対応画像を形成するステップを含む、
請求項１に記載の方法。
【請求項３】
第１の部屋にラベルを付けるステップと；
第１の選択したアイテムにラベルを付けるステップと；
第２の選択したアイテムにラベルを付けるステップと；
第１の部屋のラベル、第１の選択したアイテムのラベル、及び第２の選択したアイテムのラベルを、前記モバイルコンピュータ装置の前記記憶装置に保存するステップと；をさらに含む、
請求項１に記載の方法。
【請求項４】
第１の選択したアイテムは、前記モバイルコンピュータ装置のユーザによって手動でラベル付けされる、
請求項３に記載の方法。
【請求項５】
第１の選択したアイテムは、クラウドを介してアクセスされた識別サービスを使用して自動的にラベル付けされる、
請求項３に記載の方法。
【請求項６】
見当たらないアイテムに対応するラベルの全部又は一部を前記モバイルコンピュータ装置に入力することにより、見当たらないアイテムを探し出すステップをさらに含み、
前記モバイルコンピュータ装置は、見当たらないアイテムの位置を示す、
請求項３に記載の方法。
【請求項７】
無線周波数識別（RFID）タグを第１の部屋内に収納したアイテムに付加するステップと；
見当たらないアイテムに対応するラベルの全部又は一部を前記モバイルコンピュータ装置に入力して、見当たらないアイテムを探し出すステップであって、前記見当たらないアイテムは、対応するＲＦＩＤタグを有する、探し出すステップと；
前記見当たらないアイテムを探し出すためにＲＦＩＤスキャナを使用するステップと；
前記見当たらないアイテムに対応するＲＦＩＤタグを見つけたときに、前記モバイルコンピュータ装置のユーザに警告するステップと；をさらに含む、
請求項３に記載の方法。
【請求項８】
第２の選択したアイテムは、他のアイテムを第２の選択したアイテム内に収納する収納ユニットである、
請求項１に記載の方法。
【請求項９】
第２の選択したアイテム内の収納スペースの詳細な画像を撮影するステップと；
前記収納スペース内に収納された個々のアイテムをタップするステップと；
前記収納スペース内に収納された個々のアイテムのそれぞれの詳細な画像を撮影するステップと；をさらに含む、
請求項８に記載の方法。
【請求項１０】
第２の選択したアイテム内の前記収納スペースにラベルを付けるステップと；
前記収納スペース内に収納された個々のアイテムにラベルを付けるステップと；をさらに含む、
請求項９に記載の方法。
【請求項１１】
第１選択したアイテム及び第２の選択したアイテムのそれぞれについて製品タイプを識別するために、第１の選択したアイテム及び第２の選択したアイテムには、それぞれ、識別（ID）コードが割り当てられる、
請求項１に記載の方法。
【請求項１２】
第１の選択したアイテム及び第２の選択したアイテムのそれぞれについて、位置、ユーザコード、製品タイプ、及びシリアル番号を識別するために、第１の選択したアイテム及び第２の選択したアイテムには、それぞれ、固有の識別（UID）コードが割り当てられる、
請求項１に記載の方法。
【請求項１３】
第１の部屋は、住宅内に位置しており、該住宅には、前記住宅に対応する固有のメディアアクセス制御（MAC）アドレス又は固定のインターネットプロトコル（IP）アドレスに基づいたコードが割り当てられる、
請求項１２に記載の方法。
【請求項１４】
前記モバイルコンピュータ装置のカメラを使用して第２の部屋の画像を撮影して、第２の部屋内に収納したアイテムの内容及び第２の部屋内に収納したアイテムの相対的な位置を表す第２の対応画像を形成するステップと；
第２の対応画像に示された第３の選択したアイテムをタップするステップと；
第３の選択したアイテムの詳細な画像を撮影するステップと；をさらに含む、
請求項１に記載の方法。
【請求項１５】
第３の選択したアイテムにラベル付けするステップをさらに含む、
請求項１４に記載の方法。